(57)【要約】【課題】  カットアウトの布設状況に応じて、端子具と操作具とをフレキシブルに連結することができる連結具及びカットアウト接続器具を提供する。【解決手段】  ヒューズ１１０が取り外された箱型のカットアウト１００における一次側端子１２２及び二次側端子１２３の少なくとも何れか一方に、差し込まれる端子部２２，２２が基体部２１から突出して形成される端子具２と、長尺な操作具３とを連結するための連結具４であって、端子部２２，２２が基体部２１から突出する方向と、操作具３の長手方向とが交差するように、端子具２と操作具３とを連結するように構成されることを特徴とする。【選択図】  図７
2010092801.tif 000002
【特許請求の範囲】
【請求項１】
ヒューズが取り外された箱型のカットアウトにおける一次側端子及び二次側端子の少なくとも何れか一方に、差し込まれる端子部が基体部から突出して形成される端子具と、長尺な操作具とを連結するための連結具であって、
端子部が基体部から突出する方向と、操作具の長手方向とが交差するように、端子具と操作具とを連結するように構成されることを特徴とする連結具。
【請求項２】
各接続部により直接的に接続可能な端子具及び操作具を連結すべく、端子具の接続部と接続する第１接続部と、操作具の接続部と接続する第２接続部とを備える請求項１に記載の連結具。
【請求項３】
ヒューズが取り外された箱型のカットアウトに接続されるカットアウト接続器具において、
カットアウトの一次側端子及び二次側端子の少なくとも何れか一方に、差し込まれる端子部が基体部から突出して形成される端子具と、長尺な操作具と、端子部が基体部から突出する方向と操作具の長手方向とが交差するように、端子具と操作具とを連結する連結具とを備えることを特徴とするカットアウト接続器具。
【請求項４】
端子具には、カットアウトの各端子に差し込まれるべく、平板状に形成される端子部が一対設けられ、一対の端子部は、基体部から同方向に突出して形成されると共に、基体部から突出する方向に平行な面に沿って並設され、
連結具は、端子部と平行な面に沿って、端子部が基体部から突出する方向と、操作具の長手方向とが交差するように、端子具と操作具とを連結するように構成される請求項３に記載のカットアウト接続器具。
【発明の詳細な説明】
【技術分野】
【０００１】
本発明は、箱型のカットアウトに取り付けられる端子具と、長尺な操作具とを連結するための連結具に関し、また、箱型のカットアウトに接続されるカットアウト接続器具に関する。
【背景技術】
【０００２】
従来、箱型のカットアウト（「高圧カットアウト」ともいう）に接続されるカットアウト接続器具として、地絡した電線路における事故点を探査すべく、カットアウトに接続される事故点探査装置の課電端子や、工事対象となる電線路を接地すべく、カットアウトに接続される接地短絡装置の接地端子が知られている。
【０００３】
そして、カットアウト接続器具は、基体部から突出して形成される端子部がカットアウトの各端子に差し込まれることにより、カットアウトに取り付けられる端子具と、一端部が端子具に接続される長尺な操作具とを備える。なお、一般的に、端子部が基体部から突出する方向と、操作具の長手方向とが同一（平行）となるように、端子具と操作具とが直接的に接続（連結）されている（例えば、特許文献１及び２）。
【特許文献１】特開２００８−１８０６３４号公報
【特許文献２】特開２００７−１６５２３８号公報
【発明の開示】
【発明が解決しようとする課題】
【０００４】
しかしながら、一般的に、カットアウトは、複数（三つ）並設されていたり、電線路（電線や、例えば柱上トランス、腕金、碍子といった配電設備）の近傍に布設されていたりする。これにより、例えば、カットアウト接続器具をカットアウトに接続させる作業においては、電線や配電設備等と干渉しないように注意しながら、端子具の端子部をカットアウトの各端子に差し込んだり、抜き出したりする必要があり、かかる作業が煩雑であった。
【０００５】
よって、本発明は、かかる事情に鑑み、カットアウトの布設状況に応じて、端子具と操作具とをフレキシブルに連結させることができる連結具及びカットアウト接続器具を提供することを課題とする。
【課題を解決するための手段】
【０００６】
本発明に係る連結具は、ヒューズが取り外された箱型のカットアウトにおける一次側端子及び二次側端子の少なくとも何れか一方に、差し込まれる端子部が基体部から突出して形成される端子具と、長尺な操作具とを連結するための連結具であって、端子部が基体部から突出する方向と、操作具の長手方向とが交差するように、端子具と操作具とを連結するように構成されることを特徴とする。
【０００７】
本発明によれば、ヒューズが取り外された箱型のカットアウトにおける一次側端子及び二次側端子の少なくとも何れか一方に、差し込まれる端子部が基体部から突出して形成される端子具と、長尺な操作具とに対して、端子部が基体部から突出する方向と、操作具の長手方向とが交差するように、端子具と操作具とを連結することができる。
【０００８】
また、本発明に係る連結具においては、各接続部により直接的に接続可能な端子具及び操作具を連結すべく、端子具の接続部と接続する第１接続部と、操作具の接続部と接続する第２接続部とを備えてもよい。
【０００９】
かかる構成によれば、第１接続部が端子具の接続部と接続し、第２接続部が端子具の接続部と直接的に接続可能な操作具の接続部と接続する。したがって、各接続部により直接的に接続可能である従来の端子具及び操作具に対しても、適用することができる。
【００１０】
また、本発明に係るカットアウト接続器具は、ヒューズが取り外された箱型のカットアウトに接続されるカットアウト接続器具において、カットアウトの一次側端子及び二次側端子の少なくとも何れか一方に、差し込まれる端子部が基体部から突出して形成される端子具と、長尺な操作具と、端子部が基体部から突出する方向と操作具の長手方向とが交差するように、端子具と操作具とを連結する連結具とを備えることを特徴とする。
【００１１】
かかる構成によれば、連結具が端子具と操作具とを連結することにより、端子部が基体部から突出する方向と操作具の長手方向とが交差する。そして、その連結状態で操作具が操作されることにより、カットアウトの一次側端子及び二次側端子の少なくとも何れか一方に端子部が差し込まれ、その結果、ヒューズが取り外された箱型のカットアウトに接続される。
【００１２】
また、本発明に係るカットアウト接続器具においては、端子具には、カットアウトの各端子に差し込まれるべく、平板状に形成される端子部が一対設けられ、一対の端子部は、基体部から同方向に突出して形成されると共に、基体部から突出する方向に平行な面に沿って並設され、連結具は、端子部と平行な面に沿って、端子部が基体部から突出する方向と、操作具の長手方向とが交差するように、端子具と操作具とを連結するように構成されてもよい。
【００１３】
かかる構成によれば、連結具が端子具と操作具とを連結すると、端子部と平行な面に沿って、端子部が基体部から突出する方向と、操作具の長手方向とが交差する。そして、平板状に形成される一対の端子部が基体部から同方向に突出して形成されると共に、基体部から突出する方向に平行な面に沿って並設されるため、端子部と平行な面に沿って端子具を移動することにより、カットアウトの各端子に端子具の各端子を差し込むことができる。
【発明の効果】
【００１４】
以上の如く、本発明に係る連結具及びカットアウト接続器具によれば、端子部が基体部から突出する方向と操作具の長手方向とが交差するように、端子具と操作具とを連結するため、カットアウトの布設状況に応じて、端子具と操作具とをフレキシブルに連結させることができるという優れた効果を奏する。
【発明を実施するための最良の形態】
【００１５】
以下、本発明に係る連結具及びカットアウト接続器具おける一実施形態について、図１〜図９を参酌して説明する。なお、本実施形態においては、カットアウト接続器具を事故点探査装置の課電端子としている。
【００１６】
図１〜図４に示すように、本実施形態に係るカットアウト接続器具１は、カットアウト１００に接続される。したがって、まずは、カットアウト１００について説明する。
【００１７】
カットアウト１００は、筒状に形成されるヒューズ１１０と、ヒューズ１１０を出入（挿抜）するための開口部１２１を有し、ヒューズ１１０を内部に収容するカットアウト本体１２０と、カットアウト本体１２０の開口部１２１を覆うカバー１３０とを備える。
【００１８】
また、カットアウト１００は、腕金Ｖ，Ｖや固定具Ｗを介して、電柱Ｘに固定される。そして、カットアウト１００は、上流側の一次側電線Ｙと下流側の二次側電線Ｚとを（ヒューズ１１０を介して）電気的に接続すべく、各電線Ｙ，Ｚと電気的に接続されている。
【００１９】
ヒューズ１１０は、筒状のヒューズ本体１１１から径方向に平板状で突出して形成される一対の導電刃１１２，１１２を備える。そして、一対の導電刃１１２，１１２は、ヒューズ本体１１１から同方向に突出して形成されると共に、ヒューズ本体１１１から突出する方向に平行な面に沿って（互いに平行となるように）並設される。具体的には、一対の導電刃１１２，１１２は、互いに略面一となるように、ヒューズ本体１１１の軸方向に沿って並設される。
【００２０】
カットアウト本体１２０は、ヒューズ１１０の導電刃１１２，１１２に差し込まれる一次側端子１２２及び二次側端子１２３を備える。そして、各端子１２２，１２３は、カバー１３０がカットアウト本体１２０の開口部１２１を閉塞する状態にて、差し込まれた導電刃１１２の基端側を挾持して保持し、一方の導電刃１１２と一次側電線Ｙとを電気的に接続し、他方の導電刃１１２と二次側電線Ｚとを電気的に接続する。
【００２１】
カバー１３０は、カットアウト本体１２０の開口部１２１を開閉可能に、カットアウト本体１２０に取り付けられる。具体的には、カバー１３０は、一端部がカットアウト本体１２０の一端部に枢着され、カットアウト本体１２０に対して相対的に回動（移動）可能に構成される。また、カバー１３０は、内側にヒューズ１１０を装着可能に構成される。
【００２２】
なお、カットアウト１００においては、カバー１３０が回動する方向に沿って、平板状の導電刃１１２，１１２が配置されるように、ヒューズ１１０がカバー１３０の内側に装着される。そして、カバー１３０が回動することにより、導電刃１１２，１１２が各端子１２２，１２３に差し込まれたり、各端子１２２，１２３から抜き出されたりする。
【００２３】
そして、本実施形態に係るカットアウト接続器具１は、カバー１３０がカットアウト１２０の開口部１２１を開放し、ヒューズ１１０が取り外されたカットアウト１００（具体的にはカットアウト本体１２０）に取り付けられる端子具２と、端子具２がカットアウト１００に取り付けられる際に、間接的に操作される操作具３と、端子具２と操作具３とを連結する連結具４とを備える。
【００２４】
端子具２は、長尺な平板状に形成される基体部２１と、基体部２１から突出して形成され、カットアウト１００の各端子１２２，１２３に差し込まれる一対の端子部２２，２２と、連結具４に接続される接続部（以下、「端子具接続部」ともいう）２３とを備える。なお、端子具２は、導電性を有して（例えば金属にて）形成される。
【００２５】
一対の端子部２２，２２は、平板状に形成され、それぞれの基端側が基体部２１に接続される。具体的には、一対の端子部２２，２２は、基体部２１から同方向に突出して形成されると共に、基体部２１から突出する方向に平行な面に沿って（互いに平行となるように）並設される。
【００２６】
より具体的には、一対の端子部２２，２２は、平板状の基体部２１と略面一となるように、基体部２１の長手方向の各端部から同一方向（基体部２１の長手方向と直交する方向）に突出して形成される。したがって、端子具２（基体部２１と端子部２２，２２との部位）は、略コ字状又は略Ｃ字状に形成されている。
【００２７】
端子具接続部２３は、基体部２１の長手方向の中央部から、端子部２２，２２とは反対方向に、円柱状に突出して形成される。そして、端子具接続部２３は、外周部に、螺子溝を備える。
【００２８】
操作具３は、長尺な棒状に形成される。そして、操作具３は、長手方向の一端部に、連結具４と接続可能な操作具接続部３１を備え、長手方向の他端部に、絶縁操作棒（共用操作棒）５の先端部に着脱される操作棒着脱部３２を備える。即ち、操作具３は、絶縁操作棒５の先端工具である。また、操作具３は、径方向に突出する複数の鍔部３３，…を備える。
【００２９】
操作具接続部３１は、円柱状の内空間を形成すべく、凹状に形成され、内周部に、螺子溝を備える。なお、操作具接続部３１は、端子具接続部２３と螺合して、直接的に接続可能に構成される。また、操作具接続部３１は、導電性を有して（例えば金属にて）形成される。
【００３０】
なお、操作具３には、操作具接続部３１と電気的に接続される配線系６が接続されている。そして、配線系６は、操作具接続部３１を介して電線路に電流を流すための電源装置（採番及び図示しない）に接続されるアダプタ６１と、アダプタ６１と各操作具接続部３１（図４においては、三つ）とを電気的に接続するケーブル６２と、ケーブル６２を支持するためのフック６３とを備える。
【００３１】
連結具４は、端子具２の端子具接続部２３と接続する第１接続部４１と、操作具３の操作具接続部３１と接続する第２接続部３２とを備える。そして、連結具４は、端子具２と着脱可能に構成されると共に、操作具３と着脱可能に構成される。
【００３２】
また、連結具４は、中途部にて湾曲する棒状に形成される。これにより、連結具４は、各端子部２２と平行な面に沿って（平行な面上にて）、端子部２２が基体部２１から突出する方向と操作具３が長尺に形成される方向とが交差するように、端子具２と操作具３とを連結する。なお、連結具４は、導電性を有して（例えば金属にて）形成され、操作具３の操作具接続部３１と端子具２とを電気的に接続させる。
【００３３】
第１接続部４１は、連結具４の一端部に配置される。また、第１接続部４１は、円柱状の内空間を形成すべく、凹状に形成され、内周部に、螺子溝を備える。そして、第１接続部４１は、端子具接続部２３と螺合して、直接的に接続可能に構成される。
【００３４】
第２接続部４２は、連結具４の他端部に配置される。また、第２接続部４２は、円柱状に突出して形成され、外周部に、螺子溝を備える。そして、第２接続部４２は、操作具接続部３１と螺合して、直接的に接続可能に構成される。
【００３５】
本実施形態に係るカットアウト接続器具１の構成は以上の通りであり、次に、本実施形態に係るカットアウト接続器具１を、カットアウト１００に接続する方法について、図５〜図９を参酌して、説明する。
【００３６】
まず、図５（ａ）に示すように、操作具３の鍔部３３，３３を掛止することにより、カットアウト接続器具１を支持する支持クリート７を腕金Ｘに固定する。そして、図５（ｂ）に示すように、操作具３の操作棒着脱部３２が絶縁操作棒５の先端部に固定されることにより、カットアウト接続器具１が絶縁操作棒５に取り付けられ、その後、カットアウト接続器具１が支持クリート７から取り外される。
【００３７】
ここで、図６（ａ）に示すように、予め、カットアウト本体１２０に枢着されるカバー１３０を回動させ、カバー１３０に取り付けられていたヒューズ１１０（図示していない）を取り外しておく。そして、図６（ｂ）に示すように、絶縁操作棒５を介して、操作具３を間接的に操作することにより、一方（下方側）の端子部２２をカットアウト１００の２次側端子１２３（図６において図示していない）に挿入する。このとき、一方の端子部２２の先端部のみを２次側端子１２３に差し込んでいる（仮保持させている）。
【００３８】
そして、仮保持させた一方の端子部２２の先端を支点（中心）として、カットアウト接続器具１を平板状の端子具２（基体部２１及び端子部２２，２２）と平行な面に沿って（図６（ｂ）におけるＡ矢印方向に）回動させつつ、各端子部２２の全体をカットアウト１００の各端子１２２，１２３に差し込ませる。具体的には、カットアウト接続器具１を回動させつつ、カットアウト１００に向けて斜め上方に移動させる。
【００３９】
すると、図７（ａ）に示すように、各端子部２２の全体がカットアウト１００の各端子１２２，１２３（図７において図示していない）に差し込まれる。そして、絶縁操作棒５からカットアウト接続器具１を取り外すと、図７（ｂ）に示すように、カットアウト１００にカットアウト接続器具１が接続される（取り付けられる）。
【００４０】
このとき、差し込まれた平板状の各端子部２２をカットアウト１００の各端子１２２，１２３が保持するため、カットアウト接続器具１がカットアウト１００から落下するのを防止している。なお、カットアウト１００からカットアウト接続器具１を取り外すには、上記の作業を反対の順に行えばよい。
【００４１】
以上より、本実施形態に係るカットアウト接続器具１は、基体部２１から突出して形成される端子部２２，２２がカットアウト１００の各端子１２２，１２３に差し込まれることにより、端子具２がカットアウト１００に取り付けられる。そして、端子部２２，２２が基体部２１から突出する方向と操作具３の長手方向とが交差するように、連結具４が端子具２と操作具３とを連結するため、カットアウト１００の布設状況に応じて、フレキシブルに端子具２と操作具３とを連結することができる。
【００４２】
例えば、従来においては、図８（ａ）に示すように、端子部２２，２２が基体部２１から突出する方向と、操作具３の長手方向とが同一（平行）であるため、作業者が把持する絶縁操作棒５の把持部５１と、電線路（図８においては腕金Ｖの高さとしている）との距離Ｔが小さく、作業離間距離を十分確保することが困難であった。
【００４３】
それに対して、図８（ｂ）に示すように、本実施形態に係るカットアウト接続器具１は、端子部２２，２２が基体部２１から突出する方向と、操作具３の長手方向とが交差するため、操作具３や絶縁操作棒５が電線路とは離れる方向にカットアウト１００から延びるように配置される。したがって、絶縁操作棒５の把持部５１と、電線路との距離Ｔ’が、図８（ａ）の場合と比較して大きい（Ｔ’＞Ｔ）ため、作業離間距離を十分確保することができる。
【００４４】
ところで、カットアウト１００は、水平方向に沿って配置される腕金Ｖに対して、傾斜して配置される。具体的には、カットアウト１００は、カットアウト接続器具１に接続された際に、端子部２２，２２が基体部２１から突出する方向が鉛直方向及び水平方向に対して傾斜するように配置されている。
【００４５】
これにより、例えば、従来においては、図９（ａ）に示すように、カットアウト１００に取り付けられているカットアウト接続器具は、（自身の重量による）重力により、全体として、端子具２（特に下方側の端子部２２）を支点（中心）として回動するような（図９（ｂ）のＢ矢印方向の）力を受ける。したがって、カットアウト接続器具をカットアウト１００から取り外す際に、カットアウト接続器具に加える力と略同じ力が加わるため、カットアウト接続器具が重力によりカットアウト１００から抜けやすい状態である。
【００４６】
それに対して、図９（ｂ）に示すように、本実施形態に係るカットアウト接続器具１は、操作具３の長手方向が鉛直方向と略同一となるため、（自身の重量による）重力により、全体として、鉛直方向下向きの力を受ける。したがって、カットアウト接続器具１をカットアウト１００から取り外す際に、カットアウト接続器具１に加える力と異なる方向（交差する方向）の力が加わるため、例えば、端子部２２，２２がカットアウト１００の各端子１２２，１２３に掛止され、その結果、カットアウト接続器具１がカットアウト１００から抜けるのを効果的に防止できる。
【００４７】
なお、一般的に、作業者がカットアウト１００に対して斜め下方の位置で作業することを考慮して、端子部２２，２２が基体部２１から突出する方向と、操作具３の長手方向とが交差する角度は、９０度〜１７０度であることが好ましい。
【００４８】
さらに、一般的に、カットアウト１００の配置される傾斜角度（カットアウト１００がカットアウト接続器具１に接続された際における、端子部２２，２２が基体部２１から突出する方向と、水平方向との角度）が３０度〜６０度であることを考慮して、図９（ｂ）に示したように、カットアウト１００にカットアウト接続器具１を取り付けた際に、操作具３の長手方向が鉛直方向となるべく、端子部２２，２２が基体部２１から突出する方向と、操作具３の長手方向とが交差する角度は、１２０度〜１５０度であることがより好ましい。
【００４９】
また、本実施形態に係るカットアウト接続器具１は、連結部４の第１接続部４１が端子具接続部２３と接続し、第２接続部４２が端子具接続部２３と直接的に接続可能な操作具接続部３１と接続する。したがって、各接続部２３，３１により直接的に接続可能である従来の端子具２及び操作具３に対しても、連結具４を適用することができる。
【００５０】
なお、本発明に係る連結具及びカットアウト接続器具は、上記した実施の形態に限定されるものではなく、本発明の要旨を逸脱しない範囲内において種々変更を加え得ることは勿論である。
【００５１】
例えば、本発明に係る連結具及びカットアウト接続器具は、端子部が基体部から突出する方向と、操作具の長手方向とが交差する角度を調整可能に構成される場合でもよい。
【００５２】
具体的には、図１０（ａ）に示すように、連結部４’は、互いに着脱可能な複数の連結片４３，…を備え、連結片４３，…の組み合わせにより、当該交差角度を調整可能に構成される場合でもよく、または、図１０（ｂ）に示すように、連結部４''は、第１連結片４４と、第１連結片４４に取り付けられる（枢着される）第２連結片４５と、第１連結片４４と第２連結片４５とを固定することにより、当該交差角度を調整可能な角度調整手段４６とを備える場合でもよい。
【００５３】
また、上記実施形態に係るカットアウト接続器具１においては、事故点探査装置の課電端子である場合を説明したが、かかる場合に限られない。例えば、カットアウト接続器具は、工事対象となる電線路を接地すべく、カットアウト１００に接続される接地短絡装置の接地端子である場合でもよい。
【００５４】
具体的には、上記実施形態に係る操作具３は、絶縁操作棒５の先端工具であり、絶縁操作棒５を介して間接的に操作される場合を説明したが、かかる場合に限られず、図１１に示すように、操作具３’は、一端部に、操作具接続部３１を備え、他端部に、作業者が把持するための把持部３４を備え、直接的に操作される場合でもよい。
【００５５】
また、上記実施形態に係るカットアウト接続器具１においては、連結具４が端子具２と螺合して接続され、また、連結具４が操作具３と螺合して接続される場合を説明したが、かかる場合に限られない。要するに、連結具４は、着脱可能な端子具２と接続可能に構成されると共に、着脱可能な操作具３と接続可能に構成されていればよい。
【００５６】
また、上記実施形態に係るカットアウト接続器具１においては、端子具２の一対の端子部２２，２２が同形状に形成される場合を説明したが、かかる場合に限られず、一対の端子部が異なる形状に形成される場合でもよい。
【００５７】
具体的には、第１の端子部は、第２の端子部よりも突出量が大きくてもよく、また、第２の端子よりも厚みが厚くてもよい。そして、上記実施形態の場合と同様に、第１の端子部の先端部をカットアウト１００の２次側端子１２３に差し込み、その後、各端子部の全体をカットアウト１００の各端子１２２，１２３に差し込むことにより、カットアウト１００にカットアウト接続器具を取り付ける作業をさらに容易にすることができる。
【００５８】
また、上記実施形態に係るカットアウト接続器具１においては、端子具２が一対の端子部２２，２２を備える場合を説明したが、かかる場合に限られず、端子具が一つの端子部２２を備え、該端子部２２がカットアウト１００の一次側端子１２２又は二次側端子１２３の何れか一方に差し込まれる場合でもよい。
【図面の簡単な説明】
【００５９】
【図１】本発明の一実施形態に係るカットアウト接続器具の全体図であって、正面図を示す。
【図２】同実施形態に係るカットアウト接続器具に接続されるカットアウトの全体図であって、（ａ）は閉塞された状態の正面図、（ｂ）は開放された状態の正面図、（ｃ）は開放された状態の斜視図を示す。
【図３】同実施形態に係るカットアウト接続器具の全体図であって、分解正面図を示す。
【図４】同実施形態に係るカットアウト接続器具の操作具の全体図であって、正面図を示す。
【図５】同実施形態に係るカットアウト接続器具の全体図であって、（ａ）及び（ｂ）はカットアウトに取り付ける過程を説明する正面図を示す。
【図６】同実施形態に係るカットアウト接続器具の全体図であって、（ａ）及び（ｂ）はカットアウトに取り付ける過程を説明する正面図を示す。
【図７】同実施形態に係るカットアウト接続器具の全体図であって、（ａ）及び（ｂ）はカットアウトに取り付ける過程を説明する正面図を示す。
【図８】同実施形態に係るカットアウト接続器具の効果を説明する全体図であって、（ａ）は従来のカットアウト接続器具の正面図、（ｂ）は同実施形態のカットアウト接続器具の正面図を示す。
【図９】同実施形態に係るカットアウト接続器具の効果を説明する全体図であって、（ａ）は従来のカットアウト接続器具の正面図、（ｂ）は同実施形態のカットアウト接続器具の正面図を示す。
【図１０】本発明の他の実施形態に係るカットアウト接続器具の連結具の全体図であって、（ａ）及び（ｂ）は正面図を示す。
【図１１】本発明のさらに他の実施形態に係るカットアウト接続器具の操作具の全体図であって、正面図を示す。
【符号の説明】
【００６０】
１…カットアウト接続器具、２…端子具、３…操作具、４…連結具、２１…基体部、２２…端子部、４１…第１接続部、４２…第２接続部、１００…カットアウト、１１０…ヒューズ、１２０…カットアウト本体、１２２…一次側端子、１２３…二次側端子、１３０…カバー
【図１】
2010092801.tif 000003
【図２】
2010092801.tif 000004
【図３】
2010092801.tif 000005
【図４】
2010092801.tif 000006
【図５】
2010092801.tif 000007
【図６】
2010092801.tif 000008
【図７】
2010092801.tif 000009
【図８】
2010092801.tif 000010
【図９】
2010092801.tif 000011
【図１０】
2010092801.tif 000012
【図１１】
2010092801.tif 000013